(57)【特許請求の範囲】
【請求項１】
回路構成体をケースに収容してなり、
前記回路構成体は、板面を鉛直方向に向けると共にスイッチング部材が実装される回路基板と、導電路とを備えて構成され、
前記ケースは、枠状をなすと共に前記回路基板の周縁に沿って前記回路構成体を包囲するように配置されるフレームと、前記フレームの裏側の開口を塞ぐ放熱板と、前記フレームの表側の開口を塞ぐカバーと、前記フレームに対し上側から組み付けられるヒューズブロックと、前記ヒューズブロックの下方から前記カバーと前記表裏方向に並んで組み付けられる第１ハウジングと、を備え、
前記ヒューズブロックの下面と前記カバーの上面との間、及び前記ヒューズブロックの下面と前記第１ハウジングの上面との間、の双方又は一方には、前記導電路を貫通させる貫通路が形成されているものにおいて、
前記貫通路の内面と前記導電路の双方には相手側から退避する形態の凹部が設けられており、前記導電路の前記凹部と前記貫通路の前記凹部とは、その開口部を対向させるように配置されているところに特徴を有する電気接続箱。
【請求項２】
前記導電路の端部の端子部に形成されている前記凹部が、前記凹部の一部を構成する前記導電路の端末部に、前記導電路とは別体の端子片を固着することによって形成されていることを特徴とする請求項１記載の電気接続箱。
【請求項３】
前記貫通路は、前記ヒューズブロックの下面と前記カバーの上面との間、及び前記ヒューズブロックの下面と前記第１ハウジングの上面との間、の双方又は一方に、水平方向に延びて形成された水平貫通部を有し、
前記カバー及び前記第１ハウジングの双方又は一方の外面から上方へ立ち上げたリブの上端面によって前記水平貫通部の下面が形成され、
前記リブの上端縁を切欠することによって前記凹部が形成されていることを特徴とする請求項１または請求項２に記載の電気接続箱。
【請求項４】
前記カバーには、前記カバーの上端部外面に、前記表裏方向の表側に向かう方向について下り勾配となったカバー側傾斜面が形成されており、前記リブは前記カバー側傾斜面に形成されていることを特徴とする請求項３に記載の電気接続箱。
【請求項５】
前記第１ハウジングには、前記第１ハウジングの上端部外面に、前記表裏方向の裏側に向かう方向について下り勾配となった第１ハウジング側傾斜面が形成されており、前記リブは前記第１ハウジング側傾斜面に形成されていることを特徴する請求項３または請求項４に記載の電気接続箱。
【発明の詳細な説明】
【技術分野】
【０００１】
本発明は、電気接続箱に関するものである。
【背景技術】
【０００２】
自動車に搭載される電気接続箱として、回路構成体をケースに収容した構造のものがある。回路構成体は、回路基板と、回路基板の裏面に沿って配索したバスバーと、回路基板の表面側に実装されるリレー等のスイッチング部材とを備えて構成されている。ケースの周縁部には、その内面側から外面側へ貫通する貫通路が形成され、バスバーの端部に形成された端子部が貫通路を貫いてケースの外面側に臨んでいる。  
尚、電気接続箱としては、特許文献１に開示されているもの等がある。
【特許文献１】特開２００３−１６４０３９公報
【発明の開示】
【発明が解決しようとする課題】
【０００３】
上記のようにバスバーの端子部が、ケースの周縁部の貫通路を内面側から外面側へ貫通する形態になっている場合、ケース外の液体が、毛細管現象により、貫通路の内面と端子部の表面との隙間を移動してケースの内部に浸入することが懸念される。  
本発明は上記のような事情に基づいて完成されたものであって、ケースの周縁部における端子部の貫通部分からの浸水を防止することを目的とする。
【課題を解決するための手段】
【０００４】
上記の目的を達成するための手段として、請求項１の発明は、回路構成体をケースに収容してなり、前記回路構成体は、板面を鉛直方向に向けると共にスイッチング部材が実装される回路基板と、導電路とを備えて構成され、前記ケースは、枠状をなすと共に前記回路基板の周縁に沿って前記回路構成体を包囲するように配置されるフレームと、前記フレームの裏側の開口を塞ぐ放熱板と、前記フレームの表側の開口を塞ぐカバーと、前記フレームに対し上側から組み付けられるヒューズブロックと、前記ヒューズブロックの下方から前記カバーと前記表裏方向に並んで組み付けられる第１ハウジングと、を備え、前記ヒューズブロックの下面と前記カバーの上面との間、及び前記ヒューズブロックの下面と前記第１ハウジングの上面との間、の双方又は一方には、前記導電路を貫通させる貫通路が形成されているものにおいて、前記貫通路の内面と前記導電路の双方には相手側から退避する形態の凹部が設けられており、前記導電路の前記凹部と前記貫通路の前記凹部とは、その開口部を対向させるように配置されているところに特徴を有する。
【０００５】
請求項２の発明は、請求項１に記載のものにおいて、前記導電路の端部の端子部に形成されている前記凹部が、前記凹部の一部を構成する前記導電路の端末部に、前記導電路とは別体の端子片を固着することによって形成されているところに特徴を有する。
請求項３の発明は、請求項１または請求項２に記載のものにおいて、前記貫通路は、前記ヒューズブロックの下面と前記カバーの上面との間、及び前記ヒューズブロックの下面と前記第１ハウジングの上面との間、の双方又は一方に、水平方向に延びて形成された水平貫通部を有し、前記カバー及び前記第１ハウジングの双方又は一方の外面から上方へ立ち上げたリブの上端面によって前記水平貫通部の下面が形成され、前記リブの上端縁を切欠することによって前記凹部が形成されているところに特徴を有する。
【０００６】
請求項４の発明は、請求項３に記載のものにおいて、前記カバーには、前記カバーの上端部外面に、前記表裏方向の表側に向かう方向について下り勾配となったカバー側傾斜面が形成されており、前記リブは前記カバー側傾斜面に形成されているところに特徴を有する。  
請求項５の発明は、請求項３または請求項４に記載のものにおいて、前記第１ハウジングには、前記第１ハウジングの上端部外面に、前記表裏方向の裏側に向かう方向について下り勾配となった第１ハウジング側傾斜面が形成されており、前記リブは前記第１ハウジング側傾斜面に形成されているところに特徴を有する。
【発明の効果】
【０００７】
＜請求項１の発明＞
ケース外の液体が、貫通路の内面と導電路の表面との隙間に浸入して毛細管現象によりケースの内側に向かって移動しても、凹部において貫通路の内面と導電路の表面との隙間が大きく拡大するため、毛細管現象による液体の浸入が凹部で遮断される。
また、端子部の凹部と貫通路の凹部が、その開口部を互いに対向させるように配置されているので、凹部と凹部が非対応の位置に配置されている場合に比べて、貫通路の内面と端子部の表面との隙間がより大きく開く形態となり、液体の浸入を遮断する効果に優れている。
＜請求項２の発明＞
導電路の端子部に凹部を形成する手段としては、導電路とは別体の部品を用いずに導電路の端部を曲げ加工する方法が考えられるが、この場合、導電路に対する曲げ加工の工程数が多くなるため、加工が難しくなる。その点、本発明では、導電路の端末部に、導電路とは別体部品である端子片を固着することによって凹部を構成しているので、導電路における曲げ加工の工程数を少なくして、加工性の向上を図ることができる。
【０００８】
＜請求項３の発明＞
貫通路の水平貫通部の下面に形成されている凹部が、ケースの外部空間に連通されているので、毛細管現象によって下面の凹部に達した液体は、ケースの外部へ排出される。これにより、ケース内への液体の浸入を確実に防止することができる。
【０００９】
また、ケースの外面から上方へ立ち上げたリブの上端面によって水平貫通部の下面が形成されているので、ケースの外面から水平に突出させた突出部の上面を水平貫通部の下面としたものに比べると、導電路に下向きの外力が付与された場合において、導電路を確実に支承することができる。  
＜請求項４又は５の発明＞
水平貫通部の凹部に達した液体は、リブの側面を伝ってケースの外面に流れ落ちるのであるが、このケースの外面は傾斜面となっているので、液体がケースの外面に溜まる虞がない。
【発明を実施するための最良の形態】
【００１０】
＜実施形態１＞
以下、本発明を具体化した実施形態１を図１乃至図９を参照して説明する。本実施形態の電気接続箱は、自動車に搭載され、バッテリ（図示せず）とランプ、オーディオ等の電装品（図示せず）との間に介設され、バッテリから供給される電力を各電装品に分配・供給するとともに、これら電力供給の切り替え等の制御を行うものである。図１及び図２においては、電気接続箱を表面（正面）側が上向きとなるように描いているが、自動車に搭載された状態では、電気接続箱は、図４に示すように、ヒューズブロック３３の本体部３７が上側に位置し、ヒューズブロック３３のアーム部３８が下方へ延出する向きとなる。以下、上下左右の向きについては、自動車に搭載された状態を基準として説明する。
【００１１】
電気接続箱は、回路構成体１０と、回路構成体１０を収容するケース３０とを備えて構成される。  
回路構成体１０は、板面を鉛直方向に向けた回路基板１１と、回路基板１１の裏面（図４における右面）に沿って配索した複数のバスバー１２（本発明の構成要件である導電路）と、回路基板１１の表面側（図５における左面側）に実装されるリレーなどのスイッチング部材１３とを備えて構成されている。バスバー１２は回路基板１１の裏面に接着されており、バスバー１２の上端部１２ａに形成した第１端子部１２Ａ（本発明の構成要件である端子部）が回路基板１１の上端縁から突出されているとともに、同じくバスバー１２の下端部に形成した第２端子部１２Ｂが回路基板１１の下端縁から突出されている。
【００１２】
第１端子部１２Ａとこの第１端子部１２Ａに形成される第１凹部２３は、バスバー１２の上端部１２ａ（端末部）と、バスバー１２とは別体部品である端子片１７とを固着することによって構成されている。  
バスバー１２の上端部１２ａには、前方へ略直角に延出する形態の板状の屈曲部１４が形成され、屈曲部１４の前端から上方へ略直角に且つ屈曲部１４と同じ幅で延出する板状の基部１５が形成され、基部１５の延出端（上端）から上方へ面一状に延出する板状の固着部１６が形成されている。固着部１６の略上半分領域は基部１５よりも幅の狭い幅狭部１６ａとなっており、固着部１６の略下半分領域は基部１５と同じ幅の幅広部１６ｂとなっていて、幅狭部１６ａの一方の側縁と幅広部１６ｂの一方の側縁とは面一状に連なっている。  
端子片１７は、水平な方形板状をなすベース部１８と、ベース部１８の前端縁から略直角に且つベース部１８と同じ幅で上方へ延出する板状の接触部１９と、ベース部１８の後端から略直角に立ち上がるとともにその立ち上がり端から後方へ略直角に延出した形態であってベース部１８と同じ幅の屈曲板状をなすＬ字部２０と、Ｌ字部２０の後端から略直角に上方へ延出する板状の固着部２１とから構成される。接触部１９の上端部は、ヒューズ（図示せず）との接続のために二股状に分岐しており、接触部１９の下端部には、接触部１９を後述する収容部４０内に保持するための係止孔２２が形成されている。この固着部２１の略上半分領域はＬ字部２０よりも幅の狭い幅狭部２１ａとなっており、固着部２１の略下半分領域はＬ字部２０と同じ幅の幅広部２１ｂとなっていて、幅狭部２１ａの一方の側縁と幅広部２１ｂの一方の側縁とは面一状に連なっている。つまり、端子片１７の固着部１６とバスバー１２の固着部２１は同一の形状及び同一の寸法となっている。かかる端子片１７は、その固着部２１の後面をバスバー１２の固着部１６の前面に重ね合わせるようにして溶接等により導通可能に固着され、この端子片１７とバスバー１２の上端部１２ａ（屈曲部１４と基部１５と固着部１６）とにより、第１端子部１２Ａが構成されている。また、端子片１７とバスバー１２を固着した状態では、バスバー１２の基部１５と端子片１７のＬ字部２０とにより、下方へ開放された形態の略「コ」字形をなす第１凹部２３が形成されている。
【００１３】
ケース３０は、合成樹脂等の絶縁材料からなる略方形の枠状をなすフレーム３１と、フレーム３１に対しその裏側の開口を塞ぐように固着される金属製の放熱板３２と、フレーム３１に対しその上側から組み付けられる合成樹脂製のヒューズブロック３３と、フレーム３１に対しその表面側（放熱板３２とは反対側）の開口を塞ぐように組み付けられる合成樹脂製のカバー３４と、ヒューズブロック３３に組み付けられる合成樹脂製の第１ハウジング３５と、フレーム３１の下縁部に組み付けられる合成樹脂製の第２〜第４ハウジング３６とを備えて構成される。
【００１４】
フレーム３１は、回路基板１１の周縁に沿って回路構成体１０を全周に亘って連続して包囲するように配置されているとともに、放熱板３２の表面に接着剤（図示せず）により固定されている。放熱板３２は、回路基板１１と概ね相似形であり、放熱板３２の表面にはバスバー１２の裏面が接着剤（図示せず）により固着されている。
【００１５】
ヒューズブロック３３は、フレーム３１の上縁部の前面（正面）に沿って配される横長の本体部３７と、この本体部３７の左右両端部から下方へ片持ち状に延出する形態の一対のアーム部３８とからなる。本体部３７内には、第１端子部１２Ａの接触部１９と、端子金具３９の略上半分領域と、第１端子部１２Ａと端子金具３９を接続するヒューズとが収容されるようになっている。本体部３７の上面には、ヒューズを収容するための左右２つの収容部４０が、本体部３７の上面よりも上方へ方形ブロック状に突出し、且つ上面側へ開放された形態で形成されている。また、本体部３７における収容部４０よりも後方の領域には、下面側に開口された収容溝４１が形成されている。かかるヒューズブロック３３は、フレーム３１に対して上から接近させつつ組み付けられる。
【００１６】
第１ハウジング３５は、下方からヒューズブロック３３の本体部３７に組み付けられ、第１ハウジング３５内には端子金具３９の略下半分領域が収容される。第１ハウジング３５は下方へ開口されている。第２〜第４ハウジング３６は、下方に開口した状態でフレーム３１の下縁部の表面（正面）に固定されている。第１〜第４ハウジング３５，３６には、ハーネス側コネクタが嵌合されるようになっている。
【００１７】
カバー３４は、全体として回路基板１１とほぼ相似形であって、回路基板１１よりも一回り大きい形状をなす。カバー３４の上端部には、複数のリブ４２が、各第１端子部１２Ａと対応するように横並びに形成されている。リブ４２は、支持壁４３の正面から前方へ突出する板状をなし、その板面は、リブ４２の並び方向と直角な向きとされている。各リブ４２には、その上端縁を略方形（略「コ」字形）に切欠した形態の第２凹部４４が形成されている。この第２凹部４４の前後方向の開口寸法は、第１凹部２３の前後方向の開口寸法よりも小さくなっている。
【００１８】
かかるカバー３４は、表面側からフレーム３１に対して組み付けられる。組付け状態ではフレーム３１内に収容されている回路基板１１とスイッチング部材１３がカバー３４によって覆い隠される。また、各リブ４２が、ヒューズブロック３３の本体部３７の後端縁（収容部４０よりも後方の領域）であって収容溝４１を含む領域に対して下面側から対向するように配置され、本体部３７の後端縁とリブ４２とによって上下に挟まれた空間は、ケース３０の周縁部（上縁部）をその内面側から外面側へ貫通する形態であって、上記第１端子部１２Ａの一部を貫通状態で収容するための貫通路４５となっている。貫通路４５は各リブ４２毎に個別に構成されているとともに、リブ４２及び第１端子部１２Ａの並び方向（左右方向）において隣り合う貫通路４５同士が、リブ４２間の空間及び収容溝４１によって互いに連通した形態となっている。また、各貫通路４５は、フレーム３１と回路基板１１とカバー３４によって囲まれたケース３０内のスイッチング部材１３の収容空間３０Ｓに連通しているとともに、収容部４０におけるヒューズの収容空間４０Ｓに連通し、このヒューズの収容空間４０Ｓはケース３０の外部へ上向きに開放されている。
【００１９】
また、ケース３０の上端縁部（周縁部）においては、第１端子部１２Ａの屈曲部１４が、フレーム３１の上縁部の下面（内面）に当接した状態で横並びに配置され、前後一対の固着部１６，２１とＬ字部２０が横並びの状態で収容溝４１内に収容され、ベース部１８が、本体部３７の上端縁の下面に当接した状態で横並びに配置され、接触部１９が収容部４０におけるヒューズの収容空間４０Ｓに収容されている。つまり、貫通路４５には、ベース部１８と、Ｌ字部２０と、両固着部１６，２１と、屈曲部１４の前端部が貫通されており、貫通路４５の上下両面とベース部１８の上下両面とが、略面接触状態で当接または近接した状態となっているとともに、貫通路４５の上下両面と屈曲部１４の前端部の上下両面とが、略面接触状態で当接または近接した状態となっている。
【００２０】
上記のように本実施形態ではバスバー１２の第１端子部１２Ａが、ケース３０の周縁部（上縁部）の貫通路４５を内面側から外面側へ（上方へ）貫通する形態になっているため、ケース３０外の液体が、毛細管現象により、貫通路４５の内面と第１端子部１２Ａの表面との隙間を移動してケース３０の内部に浸入することが懸念される。しかし、本実施形態では、貫通路４５の内面（下面）と第１端子部１２Ａに、相手側から退避する形態の第１凹部２３と第２凹部４４を形成している。  
したがって、ケース３０外の液体が、収容部４０の収容空間４０Ｓから貫通路４５の内面と第１端子部１２Ａの表面との隙間に浸入して毛細管現象によりケース３０の内側に向かって移動しても、両凹部２３，４４において貫通路４５の内面と第１端子部１２Ａの表面との隙間が大きく拡大するため、毛細管現象による液体の浸入が凹部で遮断される。これにより、ケース３０内への液体の浸入が防止されている。
【００２１】
また、第１端子部１２Ａの第１凹部２３と貫通路４５の第２凹部４４が、その開口部を互いに対向させるように配置されており、第１凹部２３と第２凹部４４が非対応の位置に配置されている場合に比べて、貫通路４５の内面と第１端子部１２Ａの表面との隙間がより大きく開くので、液体の浸入を遮断する効果に優れている。  
また、第１端子部１２Ａに第１凹部２３を形成する手段としては、バスバー１２とは別体の部品を用いずにバスバー１２の上端部１２ａを曲げ加工する方法が考えられるが、この場合、バスバー１２に対する曲げ加工の工程数が多くなるため、加工が難しくなる虞がある。その点、本実施形態では、バスバー１２の上端部１２ａ（端末部）に、バスバー１２とは別体部品である端子片１７を固着することによって第１凹部２３を構成しているので、バスバー１２における曲げ加工の工程数を少なくして、加工性の向上を図ることが可能となっている。
【００２２】
＜実施形態２＞
次に、本発明を具体化した実施形態２を図１０及び図１１を参照して説明する。本実施形態２は、第１端子部５１の形態と、貫通路６０における上面側の凹部６２Ｆ，６２Ｒの形態を上記実施形態１とは異なる構成としたものである。その他の構成については上記実施形態１と同じであるため、同じ構成については、同一符号を付し、構造、作用及び効果の説明は省略する。
【００２３】
実施形態１では、第１端子部１２Ａがバスバー１２の上端部１２ａと、バスバー１２とは別体の端子片１７とを固着した形態であったが、本実施形態２の第１端子部５１は、バスバー５０（本発明の構成要件である導電路）の上端部に一体に形成されたものとなっている。第１端子部５１は、バスバー５０の上向きの上端部から直角に前方へ水平方向に突出する板状の水平部５２と、水平部５２の前端から直角に上方へ突出する板状の接触部５３とからなり、接触部５３はヒューズ（図示せず）との接続のために二股に分岐した形状をなしている。
【００２４】
また、貫通路６０は、ヒューズブロック３３の本体部３７の後端縁部の下面と、カバー３４のリブ４２の上端面とによって上下に挟まれた形態の水平貫通部６１を有している。
実施形態２では、本体部３７の下面に、前後に並ぶ２つの方形をなす凹部６２Ｆ，６２Ｒが切欠して形成されている。この２つの凹部６２Ｆ，６２Ｒの間の部分は、下向きに突出する脚部６３となっている。  
一方、リブ４２については、実施形態１と同じ形状である。カバー３４の上端部外面は、前下がりの勾配をもつ傾斜面３４Ｓとなっており、この傾斜面３４Ｓからリブ４２が上方へ立ち上がる形態となっている。また、カバー３４には、傾斜面３４Ｓの上端縁から上方へ鉛直方向に立ち上がる支持壁４３が形成されており、支持壁４３の上端縁からは、前方へ庇部４６が突出して形成されている。リブの後端縁は支持壁４３と庇部４６に連なっている。かかるリブ４２には、その上端縁を方形に切欠した形態の凹部４４が形成されている。凹部４４の後面は庇部４６の前端面に対して面一状に連なっている。凹部４４の下面には、上方に向かって幅狭となるような稜線状をなす左右一対のテーパ面４４Ｓが形成されている。また、庇部４６の上面は、リブ４２の上端面と同じ高さとなっていて、リブ４２の上端面と同じく貫通路６０の下面を構成している。
【００２５】
水平貫通部６１には、第１端子部５１の水平部５２が前後方向に貫通されており、水平部５２の下面は、リブ４２の上端面と庇部４６の上面に対して面接触状態で当接又は近接した状態てなっており、水平部５２の上面には、脚部６３の下端面が面接触状態で当接又は近接した状態となっている。尚、脚部６３と凹部４２は上下に対応するように配置されている。
【００２６】
本実施形態２では、ケース３０外の液体が、収容部４０の収容空間４０Ｓから貫通路６０の内面と第１端子部５１の表面との隙間に浸入し、毛細管現象によって水平貫通部６１内をケース３０の内側に向かって移動しても、ヒューズブロック３３の両凹部６２Ｆ，６２Ｒにおいて水平貫通部６１の上面（内面）と第１端子部５１の上面（表面）との隙間が大きく拡大するため、毛細管現象による液体の浸入が凹部６２Ｆ，６２Ｒで遮断される。同じく、リブ４２の凹部４４において水平貫通部６１の下面（内面）と第１端子部５１の下面（表面）との隙間が大きく拡大するため、毛細管現象による液体の浸入が凹部４４で遮断される。これにより、ケース３０内への液体の浸入が防止されている。
【００２７】
また、水平貫通部６１の下面を構成するリブ４２は、カバー３４（ケース）の外面側に設けられ、このリブ４２に形成されている凹部４４の上端の開口が水平貫通部６１に臨んでいる。つまり、リブ４２の凹部４４はケース３０（カバー３４）の外部空間に連通されている。したがって、毛細管現象によって下面の凹部４４に達した液体は、凹部４４の前側の内面と、リブ４２の左右外側面を伝い、カバー３４の傾斜面３４Ｓに至る経路に沿って、水平貫通部６１の外部へ排出される。しかも、凹部４４の下面は稜線状をなしていて、凹部４４の下面に達した液体がテーパ面４４Ｓの勾配にしたがって、リブ４２の左右外側面側へ流れ落ちるようになっているので、液体が凹部４４の下面に溜まる虞はない。さらに、傾斜面３４Ｓに達した液体は、その勾配に従って下方へ流れ落ちるので、液体がカバー３４の外面上に溜まることがなく、排水性能に優れている。これにより、ケース３０内への液体の浸入を確実に防止することができる。
【００２８】
また、水平貫通部６１を構成するリブ４２は、カバー３４（ケース３０）の外面から上方へ立ち上げた形態となっているので、ケースの外面から水平に突出させた突出部の上面を水平貫通部の下面としたものに比べると、第１端子部５１に下向きの外力が付与された場合において、第１端子部５１を確実に支承することができる。
【００２９】
＜実施形態３＞
次に、本発明を具体化した実施形態３を図１２〜図１６を参照して説明する。本実施形態３は、導電路の形態と凹部８２の形態を上記実施形態１、２とは異なる構成としたものである。その他の構成については上記実施形態１、２と同じであるため、同じ構成については、同一符号を付し、構造、作用及び効果の説明は省略する。
【００３０】
ヒューズブロック３３の本体部３７に組み付けられる第１ハウジング７０は、合成樹脂製であって、全体として左右方向に長いブロック状をなし、下向きに開口する嵌合空間７２を有するハウジング本体７１と、ハウジング本体７１の上面から上方へ突出する板状取付部７３とを有している。第１ハウジング７０をヒューズブロック３３に組み付けた状態では、板状取付部７３が本体部３７のスリット状嵌合溝７４に嵌合されるとともに、ハウジング本体７１の上面が本体部３７の下面に対して概ね面接触するように対向する。また、この組付け状態では、ヒューズ（図示せず）を収容するために本体部３７の上面に開口するように形成された収容空間４０Ｓから、ハウジング本体７１の嵌合空間７２に至る貫通路７５が形成される。
【００３１】
貫通路７５は、端子金具３９（本発明の構成要件である導電路）を貫通させるためのものであって、収容空間４０Ｓから本体部３７の下面に連通する上下方向の上部貫通部７６と、本体部３７の下面におけるハウジング本体７１の上面との対応面を浅く凹ませた形態であって前後方向に伸びる水平な水平貫通部７７と、ハウジング本体７１の上面から嵌合空間７２に連通する上下方向の下部貫通部７８とから構成されている。ハウジング本体７１には、その上面における下部貫通部７８よりも後方（図１２における右方）の領域を後面に亘って斜めに切欠した形態の切欠部７９が形成されており、この切欠部７９の外面は、後方に向かって下り勾配となった傾斜面８０となっている。尚、傾斜面８０の下端部は略水平となっている。そして、この切欠部７９の外面には、上方へ向かって立ち上がる突起部８１が形成されている。突起部８１は、前後方向において切欠部７９の略後半領域に配され、且つ上部貫通部７６と対応するように配置されている。また、突起部８１の上端面（立ち上がり端面）はハウジング本体７１の上面と同じ高さであり、突起部８１の上端面は、ハウジング本体７１の上面とともに水平貫通部７７を構成している。そして、突起部８１には、その上端縁における前端部分を切欠した形態の凹部８２が形成されている。この凹部８２は、水平貫通部７７に臨んでいるとともに、切欠部７９及びケース３０の外部（ハウジング本体７１の後方であって、ヒューズブロック３３の下方）の空間に連通している。
【００３２】
端子金具９０は、細長い金属板材を２カ所でほぼ直角に曲げ加工して成形したものであり、上部貫通部７６を貫通して上端を収容空間４０Ｓ内に臨ませた上下方向に細長い上部端子部９１と、上部端子部９１の下端から前方へ水平に延出する形態であって水平貫通部７７を貫通する水平部９２と、水平部９２の前端から下方へ延出する形態であって下部貫通部７８を貫通して下端を嵌合空間７２内に臨ませた下部端子部９３とから構成される。ハウジング本体７１の上面のうち下部貫通部７８の開口縁（下部貫通部７８と切欠部７９との間の幅狭の領域）と、凹部８２と、突起部８１の上端面は、端子金具９０の水平部９２の下面に対して当接又は近接して対向し、水平貫通部７７の下面を構成している。尚、上部端子部９１は、収容空間４０Ｓ内に収容されるヒューズ（図示せず）に接続され、下部端子部９３は、嵌合空間７２内に嵌合される図示しないコネクタハウジングのターミナル（図示せず）に接続されるようになっている。
【００３３】
本実施形態３では、ケース３０外の液体が、収容部４０の収容空間４０Ｓから貫通路７５の内面と端子金具９０の表面との隙間に浸入し、毛細管現象によって水平貫通部７７内を第１ハウジング７０側に向かって移動しても、ハウジング本体７１の上面の凹部８２において水平貫通部７７の下面と水平部９２の下面（表面）との隙間が大きく拡大するため、毛細管現象による液体の浸入が凹部８２で遮断される。これにより、第１ハウジング７０の嵌合空間７２内への液体の浸入が防止されている。
【００３４】
また、水平貫通部７７の下面に臨む凹部８２は、第１ハウジング７０（ケース３０）の外面側に連通されており、換言すると、凹部８２はケース３０の外部空間に連通されている。したがって、毛細管現象によって凹部８２に達した液体は、直接、傾斜面８０（凹部８２の前側の内面）を伝う経路、又は突起部８１の前面や左右両側面を経由して傾斜面８０を伝う経路を経て、ハウジング本体７１の垂直な外後面に至り、凹部８２に溜まることなく水平貫通部７７の外部へ排出される。
【００３５】
また、水平貫通部７７を構成する突起部８１は、ケース３０の外面から上方へ立ち上げた形態となっているので、ケースの外面から水平に突出させた突出部の上面を水平貫通部の下面としたものに比べると、端子金具９０に下向きの外力が付与された場合に、端子金具９０を確実に支承することができる。
【００３６】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。  
（１）上記実施形態１では１つの導電路（端子部）に凹部を１つ設けたが、本発明によれば、１つの導電路（端子部）に複数の凹部を設けてもよい。  
（２）上記実施形態１，３では１つの貫通路に凹部を１つ設けたが、本発明によれば、１つの貫通路に複数の凹部を設けてもよい。  
（３）上記実施形態１，２では凹部を略方形（略「コ」字形）とし、実施形態３では凹部を略三角形としたが、本発明によれば、凹部は円弧形、台形など、方形や三角形以外の形状としてもよい。  
（４）上記実施形態１では端子部の凹部を、バスバーとは別体の端子片を用いて構成したが、本発明によれば、バスバー以外の部品を用いずに、バスバーの端部を曲げ加工することによって凹部を形成してもよい。  
（５）上記実施形態１〜３では貫通路の下面の凹部をケース（カバー）の外部空間へ連通させたが、本発明によれば、貫通路の凹部がケースの外部へ連通しない形態としてもよい。  
【図面の簡単な説明】
【００３７】
【図１】実施形態１の斜視図
【図２】分解状態の斜視図
【図３】ヒューズブロックを外した状態をあらわす斜視図
【図４】断面図
【図５】ヒューズブロックを外した状態をあらわす正面図
【図６】カバーの正面図
【図７】カバーの平面図
【図８】カバーの断面図
【図９】端子部と貫通路の一部を分解した状態をあらわす斜視図
【図１０】実施形態２のヒューズブロックとカバーとによって形成される貫通路の形状をあらわす部分拡大断面図
【図１１】端子部、貫通路の凹部、及びカバーの外面の形状をあらわす斜視図
【図１２】実施形態３の断面図
【図１３】第１ハウジングの平面図
【図１４】第１ハウジングの底面図
【図１５】第１ハウジングの背面図
【図１６】図１３のＸ−Ｘ線断面図
【符号の説明】
【００３８】
１０…回路構成体
１１…回路基板
１２…バスバー（導電路）
１２Ａ…第１端子部（端子部）
１２ａ…バスバーの上端部（端末部）
１３…スイッチング部材
１７…端子片
２３…第１凹部（端子部の凹部）
３０…ケース
４４…第２凹部（貫通路の凹部）
４５…貫通路
【図１】
0004582714.tif 000002
【図２】
0004582714.tif 000003
【図３】
0004582714.tif 000004
【図４】
0004582714.tif 000005
【図５】
0004582714.tif 000006
【図６】
0004582714.tif 000007
【図７】
0004582714.tif 000008
【図８】
0004582714.tif 000009
【図９】
0004582714.tif 000010
【図１０】
0004582714.tif 000011
【図１１】
0004582714.tif 000012
【図１２】
0004582714.tif 000013
【図１３】
0004582714.tif 000014
【図１４】
0004582714.tif 000015
【図１５】
0004582714.tif 000016
【図１６】
0004582714.tif 000017